(57)【要約】【課題】視覚的に目立つことなく長期間にわたり芳香または香りを放ち続けることができ、しかも、マイナスイオンを発生させることができ、さらに、安価で大量生産ができる芳香付き布地を提供する。【解決手段】主成分がシリコンからなる液状シリコン４に香料等の芳香剤を混合した液状混合液を繊維体からなる布地１に塗布または含浸させて布地１に塗布部２を形成し、視覚的に目立つことなく長期間にわたり芳香または香りとマイナスイオンを発生させ、マイナスイオンにより消臭したうえで芳香または香りを放つようにすると共に、健康維持とリラクゼーションを可能にする。【選択図】          図１
2004232104.tif 000002
【特許請求の範囲】
【請求項１】
主成分がシリコンからなる液状シリコンに香料等の芳香剤を混合した液状混合液を繊維体からなる布地に塗布または含浸させて上記布地に塗布部を形成したことを特徴とする芳香付き布地。
【請求項２】
上記液状混合液は、溶剤によって希釈された液状の芳香剤を０．１乃至５０重量％を混合して撹拌し、この液状混合液を上記布地にスプレーや印刷等により塗布または含浸した請求項１に記載の芳香付き布地。
【請求項３】
上記布地は、繊維体によって形成されたアンダーウエア等の衣服からなり、この衣服の少なくとも体温によって上記塗布部が温度上昇する部位に上記芳香剤を含む液状シリコンを塗布又は含浸させた請求項１に記載の芳香付き布地。
【発明の詳細な説明】
【０００１】
【産業上の利用分野】
本発明は、特に衣服に使用される布地に関し、詳しくは、人体に作用するマイナスイオンおよびマイナスの電荷を発生させると共に、芳香または香りを放ち続ける芳香付き布地に関する。
【０００２】
【従来の技術】
衣類は、女性男性を問わず視覚と触覚にアピールするデザインと、着心地が良く、しかも、魅力的な点が求められている。更に現代では、これに加え、嗅覚にアピールすることが求められるようになり、各種の芳香が注目されるようになった。特に女性は、素晴らしい香りを身に付けることにより、感情的な幸福への意識を高めることができ、しかも、体臭に起因する臭いを嫌うことが多く、このため、嫌な臭いを隠すために香水等の香りを身に付けている。
【０００３】
近年、このような女性を対象として、香りを放つ要素を有する女性用下着が注目されるようになった。特開平１０−９６１０２号公報（特許文献１）により、身に付けている間、長期にわたり芳香を放つ要素を確実に維持するようにした女性用下着として、水に不溶性で香りを放つ芳香要素を収納した封鎖チャンバを女性用下着の面に固定して、繰り返し洗濯した後にも溶解せず、香りを放ち続けることができる女性用下着が提案されている。
【０００４】
一方、近年においては、人の心身に関わる健康に対して注目され、多くの人が各種の健康用品によって治療や健康維持を図ったり、あるいは、アロマティクな芳香によりリラクゼーションを行っている。人体に対する治療や健康維持のための手段としては、薬等を投与する手段の他につぼ療法等が知られている。また、自然な環境、特に、森林浴等により人体に自然界に存在するマイナスイオンを吸収させ、人体を活性化させることにより健康体に至らせることもしばしば行われていた。
【０００５】
このような健康維持方法のうち、つぼ療法は、必然的に長期間に及び、効果が見られるまでには数回から数百回の施工が必要であるが、会社の勤務時間や学校等での授業時間は施行できないために、場合によっては、効果が出ない短期間の間に断念することもしばしばあった。また、自分自身による指圧は指が疲労するため、所定の回数或いは時間まで継続できない問題点がある。また、森林浴も自然界の力を利用する意味において副作用が生じないことを含め、効果が高いとされているが、多忙な会社勤務の人には適当な手段ではなく、しかも、森林のある遠隔地まで出向かなければならず、多くの時間と費用が必要となる等の問題点があった。
【０００６】
【特許文献１】
特開平１０−９６１０２号公報
【０００７】
【発明が解決しようとする課題】
特開平１０−９６１０２号公報に示された女性用下着は、芳香要素を収納した封鎖チャンバを女性用下着の面に固定することによって、身に付けている間、長期にわたり芳香を放つ要素を確実に維持するようにしているが、上記封鎖チャンバを女性用下着に固定することから、上記封鎖チャンバが下着から突出するために、視覚的に魅力を失わせる問題がある。また、上記封鎖チャンバが肌に触れることにより、触覚的にも着心地を阻害する要因となっている。更に、アロマティクな芳香によってリラクゼーションが可能となるが、人体の健康に影響を与えるものではない。
【０００８】
そこで本発明は、視覚的に目立つことなく長期間にわたり芳香または香りを放ち続けることができ、しかも、マイナスイオンを発生させることができ、更に、安価で大量生産ができる芳香付き布地を提供しようとするものである。
【０００９】
【課題を解決するための手段】
そこで、本発明の請求項１に関わる芳香付き布地は、主成分がシリコンからなる液状シリコンに香料等の芳香剤を混合した液状混合液を繊維体からなる布地に塗布または含浸させて上記布地に塗布部を形成したことにより、視覚的に目立つことなく長期間にわたり芳香または香りを放ち続け、しかも、マイナスイオンを発生させて、健康維持とリラクゼーションが可能であり、更に、マイナスイオンによる効果によって消臭を可能している。
【００１０】
また、請求項２に関わる芳香付き布地は、上記液状混合液は、溶剤によって希釈された液状の芳香剤を０．１乃至５０重量％を混合して撹拌し、この液状混合液を上記布地にスプレーや印刷等により塗布または含浸したことにより、長期間にわたり芳香または香りを放ち続け、しかも、芳香付き布地を安価で大量生産ができる。
【００１１】
また、本発明の請求項３に関わる芳香付き布地は、上記布地を衣服として使用し、この衣服の少なくとも体温によって上記塗布部が温度上昇する部位に上記芳香剤を含む液状シリコンを塗布又は含浸させたことにより、体温によってマイナスイオンの発生量と、芳香剤の放出量を多くすることが可能となり、効果を一層高めることができる。また、視覚的に目立つことなく塗布部を形成するので、衣服としての商品価値を維持しながら長期間にわたり芳香または香りを放ち続けることが可能となる。
【００１２】
【発明の実施の形態】
以下、図面に基づいて本発明の実施の形態を詳細に説明する。図１は、本発明に関わる芳香付き布地の第１の実施例として、繊維体を織った織物に適用した例を示している。布地１は、木綿、麻などの植物繊維、ナイロン、テトロン等の合成繊維等からなり特に種類を問わない。このような布地１に対して、主成分がシリコンからなる液状シリコン２０に液状の芳香剤２１を混合して塗布すると共に含浸した後に固化させ、内部の隙間及び表面に塗布部２が形成されている。
【００１３】
ここで使用する液状シリコン２０は、主成分のシリコンに対して、適量のシロキサンやジメチルシロキサン、メチルアルコール等の溶剤を含有させた一般的にはＲＴＶと呼ばれるものであり、速乾性を有している。従って、液状シリコン２０は比較的短時間に溶剤が揮発するので、短時間で固化させることができる。この液状シリコン２０には、液状の芳香剤２１が混合される。尚、液状シリコン２０には、他に微量不可避的添加材が含まれる。その他、液状シリコン２０に対して少量のシリカや、微量の抗菌材や香料を混合したしてもよい。
【００１４】
液状シリコン２０には、液状の芳香剤２１を０．１乃至５０重量％を混合し、ほぼ均一に分散するように撹拌する。芳香剤２１の混合比率は、後述するような塗布及び含浸させる方法として、主としてスプレーによる塗布が可能な流度であり、しかも、長期間にわたり芳香または香りを放ち続けることが可能なように設定される。即ち、液状シリコン２０に対して液状の芳香剤２１を０．１重量％以下にした場合は、液状シリコン２０によるマイナスイオン効果は得られるが、洗濯等によって芳香または香りを長期間継続させることができない。一方、液状の芳香剤２１を５０重量％以上混合した場合は、芳香または香りを長期間継続させることができるものの、所定のマイナスイオン効果は得られ難くくなる。更に、液状の芳香剤２１は混合比率を高めても継続期間に大きな変化がないことが判明し、また、芳香剤２１自体が高価であることから、芳香または香りを長期間継続させるために必要最小限の比率としている。
【００１５】
液状シリコン２０に混合する液状の芳香剤２１は、例えばフレンチバニラ、ロマンチックローズ、ココア（カカオ）バター、ミッドナイトブーケ等の香料に、キシレン等の不水溶性の溶剤を入れて液状にしている。香料と溶剤との混合比率は、香水やオーデコロンに用いる場合と同じで良い。尚、溶剤としては、水溶性であっても良い。
【００１６】
そして、液状の芳香剤２１を混合した液状シリコン２０は、布地１に対して、１平方メートル当たり１０乃至５０ｇの適宜の量を塗布し、布地内部に含浸させることにより塗布部２を形成している。
【００１７】
図２乃至図４は、布地１に対して、液状の芳香剤２１を混合した液状シリコン２０を塗布及び含浸させる方法を示している。即ち、図２は、布地１の一方側面に対し、ノズル３から噴霧状の液状シリコン４を放出し、スプレー塗装的に塗布する方法を示している。スプレーにより布地１に塗布された液状シリコン４は、次第に浸透して布地内部に含浸する。このとき、布地１に塗布される液状シリコン４の量は、１平方メートル当たり１０乃至５０ｇとしている。因みに、１平方メートル当たり１０ｇ以下の場合は、後述するマイナスイオンの発生量が数十ＮＳ／ｃｃ以下となり、人体等への影響が小さくなる。また、１平方メートル当たり５０ｇ以上の場合は、液状シリコン４が布地１の表面にやや厚い膜を形成し、マイナスイオンの発生量は必要十分な量が確保されるものの、本来の布地１が有する風合いや感触が多少変化してしまう。ここで使用する液状シリコン４は、一般に知られる衣料用撥水剤と同様に、溶剤が気化することにより固化しても、十分な可撓性を有するため、布地１が有する性質を損なうものではない。
【００１８】
図３は、長尺の布地１に、液状の芳香剤２１を混合した液状シリコン２０を連続して塗布及び含浸させる方法を示している。即ち、バケット３０の内部に芳香剤２１を混合した液状シリコン２０が入れられ、長尺の布地１は、図示左方から矢示の方向に回転ローラ３１によって順次バケット３０内に移送されることによって、布地１に液状シリコン２を順次塗布及び含浸する。そして、このように塗布及び含浸された布地１は、図示右方から矢示の方向に順次引き上げられる。その後、図示しない乾燥手段を経由することによって、長尺の布地１には、表裏全面に塗布部２が形成される。尚、長尺の布地１をバケット３０内の芳香剤２１を混合した液状シリコン２０の液表面を移送させることによって、布地１の一方面に液状シリコン２０を塗布及び含浸させても良い。
【００１９】
図４は、布地１に対して、スクリーン印刷法によって液状の芳香剤２１を混合した液状シリコン２０を連続して塗布及び含浸させる方法を示している。即ち、スクリーン４０には、開口部４１とマスク部４２が形成されていて、布地１の一方面にスクリーン４０を載せた後に、スキージ４３によって液状シリコン２０を塗布することにより、液状シリコン２０が開口部４１を通して布地１に移行することによって塗布及び含浸される。このようなスクリーン印刷法は、必要な部分のみに液状シリコン２０の塗布部２を形成する場合に好適である。
【００２０】
このようにして、液状の芳香剤２１を混合した液状シリコン２０が塗布及び含浸された布地１の塗布部２からはマイナスイオンが放射される。このマイナスイオンの量は、温度が摂氏２０度、湿度３０％乃至５０％の環境において測定したところ、少なくとも２５０ＮＳ／ｃｃ以上が発生している。この発生量は、温度と湿度によっても発生量が多少変化し、温度と湿度が高くなるに従って発生量が増加する傾向がある。また、図７に示すように、時間の経過により変化するが、これは被測定体の場所の環境変化によるものと推測される。尚、マイナスイオン発生量の測定方式は東大ＮＹ方式であり、測定機器は、神戸電波製ＫＳＴ−９００を使用した。また、布地１の塗布部２からは、マイナスイオンと共に遠赤外線が放出される。
【００２１】
図５は、液状の芳香剤２１を混合した液状シリコン２０が塗布及び含浸された塗布部２を有するアンダーシャツ５を示している。このアンダーシャツ５の塗布部２からは、少なくとも２５０／ｃｃ以上のマイナスイオンが発生すると共に、芳香剤２１によって芳香または香りが放たれる。マイナスイオンは、皮膚を浸透して体内に注入される。また、塗布部２には、マイナス電位が発生している。このアンダーシャツ５を人が着用することにより、液状シリコン２０から発生するマイナスイオンによって、常に森林浴等を行っている状態と同じ状態にすることができる。因みに、比較的マイナスイオンが多いとされる長野県の軽井沢の森林におけるマイナスイオン量は、約２５０ＮＳ／ｃｃであり、上記アンダーシャツ５を着用することは、常に軽井沢において森林浴を行っている場合と等価な活性化効果が得られることを意味している。
【００２２】
アンダーシャツ５の塗布部２は、人が着用したときに体温によって、例えば摂氏３２度以上に暖められ、塗布部２から放出するマイナスイオン量が増加する。また、人の動きによって、塗布部２と肌が接触することにより摩擦が生じたときは、更にマイナスイオン量が増加する。更に、塗布部２のシリコン２０からは、マイナスイオンと共に遠赤外線が放出されることが判明している。このため、表面温度を摂氏２乃至３度上昇させることから、温熱効果によって身体の不調個所の改善を図る一方、発汗作用を促すことによってダイエット効果もあることが判明している。更にまた、塗布部２のシリコン２０から放出されるマイナスイオンは、消臭効果があることが判明している。この結果、アンダーシャツ５を着用したときに生ずる発汗臭や体臭等の臭いがマイナスイオンによって消臭される。従って、芳香剤２１の芳香または香りは、マイナスイオンによって消臭されたうえで放たれるので、発汗臭や体臭等との混合臭ではない真の芳香または香りを人に与えることができる。そのうえ、芳香剤２１からアロマティクな芳香または香りを放つことにより、リラクゼーションが可能となる。
【００２３】
次に、液状の芳香剤２１を混合した液状シリコン２０が塗布及び含浸したアンダーシャツ５について、芳香持続性を確認したところ、図８に示す残存率の推移のように、本発明品は、洗濯を２０回繰り返しても約５０％の芳香が持続していることが確認された。即ち、液状の芳香剤２１を液状シリコン２０に混合することによって、芳香剤２１が内在し、時間の経過と共に徐々に放出されるものと推察される。因みに、単に液状の芳香剤をアンダーシャツ５に塗布した一般品の場合は、数回の洗濯によって香りが消滅していた。
【００２４】
図５は、液状の芳香剤２１を混合した液状シリコン２０が塗布及び含浸された塗布部２を有する女性用のパンティー６を示している。このパンティー６の塗布部２からは、上述したアンダーシャツ５と同様に、少なくとも２５０／ｃｃ以上のマイナスイオンが発生すると共に、芳香剤２１によって芳香または香りが放たれる。女性用のパンティー６に形成する塗布部２の部位は、特に、前面の下腹部や背後の腰に対応する位置が望ましい。
【００２５】
即ち、液状シリコン２０から放出されるマイナスイオンの消臭効果によって、特有な臭いを消臭すると共に、芳香剤２１によって芳香または香りを放つことにより、女性としての気品を高めることができる。更に、整理痛等は下腹部や背後の腰を暖めることによって抑制されることが知られているが、液状シリコン２０から放出される遠赤外線によって下腹部や腰を暖めることができる。一方、パンティー６と類似した生理ショーツに適用することによって、消臭効果、遠赤外線による温熱効果と共に、芳香効果によって、生理時の不快感を著しく改善することが可能となる。尚、塗布部２は、上述した下腹部や腰に対応部位の他、例えばゴムバンド６ａに部位に形成しても良い。
【００２６】
上記布地１としては、上記アンダーシャツ５、パンティー６の他、男性用のパンツ（ブリーフを含む）、女性用のブラジャーや各種のアンダーウエア、及び、靴下、マフラー、帽子、タイツ、サポーター、ネクタイ等にも使用可能である。尚、パンツを含むアンダーウエアの場合は、その上に着用される衣料との摩擦が生ずることから、この摩擦によって液状シリコン２０から発生するマイナスイオンの発生量が加速されることが確認されている。
【００２７】
ここで、塗布部２の液状シリコン２０から発生するマイナスイオンについて効果を医学的に考察すると、いわゆる疾患が発生する前兆としては、血液内の活性酸素が増大して酸性度が大きくなることがわかっている。そこで、上記アンダーシャツやパンティー６等から発生するマイナスイオンを２５０ＮＳ／ｃｃ以上注入することにより、人体の血液に作用してマイナスイオン化し、この血液が体内を循環することにより、体内の血液がマイナスイオン化され、血液を弱アルカリ性に変化させる。このため、血液の循環が活発になり、疾患の原因である活性酸素が緩やかに燃焼することにより減少し、各種の疾患が穏やかに治癒されることになる。
【００２８】
上述した塗布部２の液状シリコン２０には、芳香剤２１の他に、ゲルマニウムパウダーを添加しても良い。ゲルマニウムパウダーは、摂氏３２度以上の環境でマイナス電位を発生する。身体に既に生じた痛み等の病的な不調個所に対し、マイナス電位を与えることにより正常なマイナス電位に戻されて不調個所が改善され、更に、ゲルマニウムパウダーの遠赤外線を発生することから、遠赤外線効果によって身体の不調個所の改善を助長して治癒される。従って、ゲルマニウムパウダーを添加した液状シリコン２０は、マイナスイオン効果とマイナス電位効果及び遠赤外線効果が相乗して身体を健康体に導くことが可能となる。
【００２９】
更に、液状シリコン２０には、マイナスイオンの発生量を多くするために、適量の粒径が０．５〜６ミクロンのマイナスイオンセラミックパウダーをゲルマニウムのパウダーと共に混合してもよい。このマイナスイオンセラミックパウダーは、身体から放出される水蒸気と反応して有益な微量放射線がマイナスイオンに変化する性質を有しているので、マイナスイオン発生量を大幅に増大することができる。このことから、芳香剤２１を混合した液状シリコン２０にマイナスイオンセラミックパウダー混合してアンダーウエアに塗布した場合には、人体から発生する発汗によって水分が与えられ、これと反応してイナスイオンに変化させるので、より一層効果を高めることができる。
【００３０】
また、芳香剤２１を混合した液状シリコン２０を塗布および含浸させた布地１は、上記各種の衣服の他に、電気毛布や電気敷布、電気カーペット等の発熱暖房器具を包囲するカバー等にも使用可能である。更に、壁紙等の建材にも使用可能である。以上のように、本発明は用途や塗布方法を限定するものではないことは勿論である。
【００３１】
【発明の効果】
以上説明した芳香付き布地は、主成分がシリコンからなる液状シリコンに香料等の芳香剤を混合した液状混合液を繊維体からなる布地に塗布または含浸させて上記布地に塗布部を形成したので、視覚的に目立つことなく長期間にわたり芳香または香りを放ち続け、しかも、マイナスイオンを発生させて、健康維持とリラクゼーションが可能である。更に、マイナスイオンによる消臭が可能であり、消臭したうえで芳香または香りを放つことができる。更に、芳香付き布地は、液体シリコンに芳香剤を混合させて繊維体、或いは樹脂等の布地に塗布又は含浸させて固化する簡便な手段により形成でき、しかも大量生産が可能であり、安価に提供することができる。
【図面の簡単な説明】
【図１】本発明に関わる布地の一部を示す部分斜視図である。
【図２】布地に対するスプレー塗装の状態を示す説明図である。
【図３】布地に対してディップ法により含侵させる状態を示す説明図である。
【図４】布地に対してスクリーン印刷法により塗布させる状態を示す説明図である。
【図５】本発明に関わる布地をアンダーシャツに使用した例を示す正面図である。
【図６】本発明に関わる布地をパンティーに使用した例を示す正面図である。
【図７】布地におけるマイナスイオンの発生量の推移を示す特性図である。
【図８】図５のアンダーシャツにおける洗濯回数と芳香剤の残存率を示す特性図である。
【符号の説明】
１            布地
２            塗布部
３            ノズル
４            液体シリコン
５            アンダーシャツ
６      パンティー
２０    液状シリコン
２１    芳香剤
【図１】
2004232104.tif 000003
【図２】
2004232104.tif 000004
【図３】
2004232104.tif 000005
【図４】
2004232104.tif 000006
【図５】
2004232104.tif 000007
【図６】
2004232104.tif 000008
【図７】
2004232104.tif 000009
【図８】
2004232104.tif 000010